(57)【要約】      （修正有）【課題】自身の胸の形に応じて、乳房に対するバストアップ、集中の程度について、左、右カップをそれぞれ調整することができるセルフコントロール式調整型下着を提供する。【解決手段】セルフコントロール式調整型下着は、カップ１１が対応する乳房の下縁及び外側の挟層内に、空気の充填量をそれぞれ調整可能なバストアップエアクッション２０と集中エアクッション３０をそれぞれ設置し、装着使用時にずれたり外れたりする恐れがなく、しかも乳房に対するバストアップ、集中の程度について、左、右カップ１１をそれぞれ調整することができる。【選択図】図４
0003175855.tif 000002
【実用新案登録請求の範囲】
【請求項１】
セルフコントロール式調整型下着は、装着本体、２組のバストアップエアクッション、２組の集中エアクッションを備え、
前記装着本体には、左、右側にそれぞれ位置する２個のカップを設置し、前記２個のカップ外側は、１組のバックベルトに対応して連接し、
前記２組のバストアップエアクッションは、前記２個のカップの、乳房下縁に対応する挟層内にそれぞれ設置し、前記各組のバストアップエアクッションは、前記カップ外縁に沿って配置する進気管を連接し、前記進気管末端には、封鎖或いは開放可能な進気口を設置し、
前記２組の集中エアクッションは、前記２個のカップの、乳房外側に対応する挟層内にそれぞれ設置し、前記各組の集中エアクッションは、前記カップ外縁に沿って配置する進気管を連接し、前記進気管末端には、封鎖或いは開放可能な進気口を設置し、
前記各組のバストアップエアクッション、及び前記各組の集中エアクッションに空気を充填することで、乳房の相対する位置に対して、バストアップ及び集中効果を備えることを特徴とするセルフコントロール式調整型下着。
【請求項２】
セルフコントロール式調整型下着は、装着本体、２組のバストアップエアクッション、２組の集中エアクッションを備え、
前記装着本体には、左、右側にそれぞれ位置する２個のカップを設置し、前記２個のカップ外側は、１組のバックベルトに対応して連接し、
前記２組のバストアップエアクッションは、前記２個のカップの、乳房下縁に対応する挟層内にそれぞれ設置し、前記各組のバストアップエアクッションは、前記カップ外縁に沿って配置する進気管を連接し、前記進気管末端には、封鎖或いは開放可能な進気口を設置し、
前記２組の集中エアクッションは、前記２個のカップが対応する乳房外側のバックベルト挟層内に設置し、前記各組の集中エアクッションは、前記カップ外縁に沿って配置する進気管を連接し、前記進気管末端には、封鎖或いは開放可能な進気口を設置し、
前記各組のバストアップエアクッション、及び前記各組の集中エアクッションに空気を充填することで、乳房の相対する位置に対して、バストアップ及び集中効果を備えることを特徴とするセルフコントロール式調整型下着。
【請求項３】
前記セルフコントロール式調整型下着はさらに、前記各組のバストアップエアクッション、及び前記各組の集中エアクッションの進気口位置に、漏れ防止キャップを設置することを特徴とする請求項１或いは２に記載のセルフコントロール式調整型下着。
【請求項４】
前記セルフコントロール式調整型下着はさらに、前記各組のバストアップエアクッション、及び前記各組の集中エアクッションは、それぞれその内側表面に、通気性の高いフリル構造を形成することを特徴とする請求項１或いは２に記載のセルフコントロール式調整型下着。
【請求項５】
前記装着本体は、前記２個のカップ下縁が延伸する両側のエリアに、前記進気管を通して設置する挟間隙をそれぞれ設置することを特徴とする請求項１或いは２に記載のセルフコントロール式調整型下着。
【請求項６】
前記装着本体は、前記２個のカップ下縁が延伸する両側のエリアに、前記進気管を通して設置する挟間隙をそれぞれ設置し、
前記２個のカップの挟間隙中には、スチールワイヤーを通して設置することを特徴とする請求項１或いは２に記載のセルフコントロール式調整型下着。
【請求項７】
前記装着本体は、前記２個のカップ上縁に、前記バックベルトと相互に連接する１組のショルダーストラップをそれぞれ設置することを特徴とする請求項１或いは２に記載のセルフコントロール式調整型下着。
【請求項８】
前記進気管内には、逆流防止弁を設置することを特徴とする請求項１或いは２に記載のセルフコントロール式調整型下着。
【請求項９】
前記２組の集中エアクッションは、外から内へと徐々に大きくなる構造体で、これにより、腋下の人体組織を、胸元の方向へと、少しずつ集中させることができることを特徴とする請求項２に記載のセルフコントロール式調整型下着。
【考案の詳細な説明】
【技術分野】
【０００１】
本考案はブラジャーに関し、装着者が自身の胸の形に応じて、乳房に対するバストアップ、集中の程度について、左、右カップをそれぞれ調整することができるセルフコントロール式調整型下着に関する。
【背景技術】
【０００２】
ブラジャーは、現代女性にとって極めて重要なアンダーウェアの一つである。それは、装着者の乳房を支え、下垂を防止でき、或いは活動時に乳房を保護することができる。これにより、激しい揺れ、及び摩擦がもたらす不快感を回避できる他、乳房を包んで遮蔽し、固定し、修飾する作用をも備えるため、女性はブラジャーの装着により、胸が見えてしまうという煩わしさを防止でき、またブラジャーを利用して胸の形を修飾し、上半身のプロポーションをより完璧に美しく見せることができる。
【０００３】
従来のブラジャーは基本的には、装着者の乳房に対して包み、固定する作用を生じる左、右カップを備える。左、右カップ上方にはショルダーストラップを設置し、しかもショルダーストラップは、環状を呈して設置し、左、右カップ両側縁から延伸するバックベルトと相互に連結する。  
【０００４】
装着時には、ショルダーストラップのサスペンションとバックベルトを利用し、人体を取り囲み、乳房外を左、右カップが確実に包めるようにする。左、右カップが提供する包覆とショルダーストラップのサスペンション及びバックベルトが提供する取り囲んで包み押さえる作用により、ブラジャーは、装着者の上囲部分を維持し、乳房を支えて保護できる他、乳房を集中させバストアップする補正効果を発揮することができる。
【０００５】
あるブラジャーは、女性の先天的な発育不良、或いは後天的に生じた乳房のたるみと下垂などがもたらす不足の問題を改善できると強調している。これらブラジャーは、ブラジャーの内側布に、さまざまな厚みのクッション体を充填し、クッション体を利用してカップ内部の空間を補填し、乳房を支える作用を生じさせることで、胸の形を調整する目的を達成するものである。
【０００６】
一般に胸の形を調整する機能を備えるブラジャーは、２個のカップの内部に、クッション体を入れることができるポケットをそれぞれ設置する。ポケットの開口部は、カップの外側へ向かい配置し、これによりクッション体をポケットに入れた時には、カップの下縁にちょうど対応して落ち着く。しかし、従来のブラジャーは、乳房をバストアップする機能のみを備えるため、乳房を中央へと集中させる必要がある場合には、緊縮度を調整することで、２個のカップをできるだけ中央へと集中しなければならない。これでは、胸の形の調整効果には限界があるばかりか、装着者は、胸元がブラジャーによりきつく圧迫されて不快を感じてしまう。
【０００７】
さらに、従来のブラジャーでは、違った厚みのクッション体をいろいろ交換しなければ、乳房を期待した高さへとバストアップすることができないため、使用において非常に不便である。
市場には、特許文献１に開示するように、自身で厚みを調整可能なエアクッションをカップに入れて使用するものもある。しかし、やはり同様に、着脱、気体充填を繰り返さなければ、装着者に適した装着厚みへと調整することはできない。特に、使用するクッション体が、厚みの自己調整機能を備えているか否かに関わらず、カップと確実に結合できなければ、装着使用時に位置がずれてしまい、さらにはポケットの開口部から脱落してしまう恐れさえある。本考案は、従来の調整型下着の上記した欠点に鑑みてなされたものである。
【先行技術文献】
【特許文献】
【０００８】
【特許文献１】台湾特許特許公報第M308648号
【考案の概要】
【考案が解決しようとする課題】
【０００９】
本考案が解決しようとする課題は、自身の胸の形に応じて、乳房に対するバストアップ、集中の程度について、左、右カップをそれぞれ調整することができるセルフコントロール式調整型下着を提供することである。
【課題を解決するための手段】
【００１０】
上記課題を解決するため、本考案は下記のセルフコントロール式調整型下着を提供する。
セルフコントロール式調整型下着の第一実施例は、装着本体、２組のバストアップエアクッション、２組の集中エアクッションを備え、
該装着本体には、左、右側にそれぞれ位置する２個のカップを設置し、少なくとも該２個のカップ外側は、１組のバックベルトに対応して連接し、
該２組のバストアップエアクッションは、該２個のカップの、乳房下縁に対応する挟層内にそれぞれ設置し、該各組のバストアップエアクッションは、該カップ外縁に沿って配置する進気管を連接し、該進気管末端には、進気口を設置し、
該２組の集中エアクッションは、該２個のカップの、乳房外側に対応する挟層内にそれぞれ設置し、該各組の集中エアクッションは、該カップ外縁に沿って配置する進気管を連接し、該進気管末端には、進気口を設置し、
セルフコントロール式調整型下着の第二実施例は、装着本体、２組のバストアップエアクッション、２組の集中エアクッションを備え、
該装着本体には、左、右側にそれぞれ位置する２個のカップを設置し、少なくとも該２個のカップ外側は、１組のバックベルトに対応して連接し、
該２組のバストアップエアクッションは、該２個のカップの、乳房下縁に対応する挟層内にそれぞれ設置し、該各組のバストアップエアクッションは、該カップ外縁に沿って配置する進気管を連接し、該進気管末端には、進気口を設置し、
該２組の集中エアクッションは、該２個のカップが対応する乳房外側のバックベルト挟層内に設置し、該各組の集中エアクッションは、該カップ外縁に沿って配置する進気管を連接し、該進気管末端には、進気口を設置し、
該進気管を通して、左、右側のバストアップエアクッション、或いは集中エアクッションに空気を充填することで、該バストアップエアクッション、或いは該集中エアクッションは、調整後の厚みと弧状を常に維持し、これにより該カップ内側の乳房に対して予期のサポート作用を形成し、装着者は自身の胸の形に応じて、乳房に対するバストアップ、集中の程度について、左、右カップをそれぞれ調整する目的を達成し、
実施時には、セルフコントロール式調整型下着にはさらに、該各組のバストアップエアクッション、及び該各組の集中エアクッションの進気口位置に、漏れ防止キャップを設置し、
該漏れ防止キャップ以外に、該進気管内には、逆流防止弁を設置し、該逆流防止弁は、予定部位に作用する外力、或いは外物作用を受けて開き、これにより使用者が、気体を該バストアップエアクッション、及び該集中エアクッションに注入する時、使用者が該逆流防止弁に力を加え排気させるまで、持続的に膨張させ、気体を留まらせることができ、
セルフコントロール式調整型下着の実施時にはさらに、該各組のバストアップエアクッション、及び該各組の集中エアクッションが対応する該カップ内部のそれぞれ表面に、通気性の高いフリル構造を形成し、装着時の蒸れを低下させることができ、
セルフコントロール式調整型下着の実施時には、該装着本体は該２個のカップ下縁が延伸する両側のエリアに、進気管を通して設置する挟間隙をそれぞれ設置し、該進気管を直接利用して、該カップの外形を固定する効果を強化することができ、
セルフコントロール式調整型下着の実施時には、該装着本体は該２個のカップ下縁が延伸する両側のエリアに、進気管を通して設置する挟間隙をそれぞれ設置し、該２個のカップの挟間隙中には、スチールワイヤーを通して設置し、該スチールワイヤーを利用して、該カップの外形を固定する効果を強化することができ、
セルフコントロール式調整型下着の実施時には、該装着本体は、該２個のカップ上縁に、該バックベルトと相互に連接する１組のショルダーストラップをそれぞれ設置し、
上記した従来の技術に比べ、本考案セルフコントロール式調整型下着は、以下の長所を備える。
1.各バストアップエアクッション、及び集中エアクッションは、各カップの挟層中に確実に固定されるため、装着使用時に、ずれや脱落の恐れがない。
2.乳房に対するバストアップ、或いは内側への集中の程度について、各カップに対してそれぞれ調整することができ、装着者にオールマイティな胸の形の調整機能を提供することができる。
3.装着者は自身の胸の形に応じて、乳房に対するバストアップ、集中の程度について、左、右カップをそれぞれ調整することができ、最良の胸の形を表現することができる。
4.装着する装着者自身の状況に応じて、エア充填装置を通して、左、右側カップに属するバストアップエアクッション、或いは集中エアクッション中に、気体を充填することができ、胸の形の調整動作を便利で確実に行うことができる。
5.各組のバストアップエアクッション、及び各組の集中エアクッションは、それが対応する該カップ内部のそれぞれ表面に、通気性の高いフリル構造を形成し、装着時の蒸れを低下させることができる。
【考案の効果】
【００１１】
本考案のセルフコントロール式調整型下着は、エアクッションを装着本体と確実に結合させることができるため、装着使用時に、エアクッションがずれたり、外れたりする恐れを払拭することができる。しかも、使用時には、装着者は自身の胸の形に応じて、乳房に対するバストアップ、集中の程度について、左、右カップをそれぞれ調整することができる。さらには、装着する装着者自身の状況に応じて、エア充填装置を通して、左、右側カップに属するバストアップエアクッション、或いは集中エアクッション中に、気体を充填することができ、より優れた胸の形の表現効果を実現することができる。本考案の主要な技術特徴は、男性、或いは女性のアンダーパンツの構造中にも応用でき、アンダーパンツに固定した装着本体に結合することで、装着者は男性、或いは女性の女性らしさの表現効果を自ら調整することができる。
【図面の簡単な説明】
【００１２】
【図１】本考案実施例セルフコントロール式調整型下着構造の模式図である。
【図２】本考案バストアップエアクッション、或いは集中エアクッションと装着本体との結合構造断面図である。
【図３】本考案集中エアクッションの構造模式図である。
【図４】エア充填装置を利用し、本考案集中エアクッションに空気を充填する状態を示す模式図である。
【図５】本考案実施例セルフコントロール式調整型下着構造の模式図である。
【考案を実施するための形態】
【００１３】
以下に図面を参照しながら本考案を実施するための最良の形態について詳細に説明する。
【実施例】
【００１４】
図１に示すように、本考案セルフコントロール式調整型下着は、装着本体１０、２組のバストアップエアクッション２０、２組の集中エアクッション３０を備える。
【００１５】
装着本体１０には、左、右側にそれぞれ位置する２個のカップ１１を設置する。少なくとも２個のカップ１１の外側は、１組のバックベルト１２に対応して連接する。実施時には、装着本体１０は、２個のカップ１１上縁に、バックベルト１２と相互に連接する１組のショルダーストラップ１３をそれぞれ設置する。これにより、ブラジャーを装着して使用時の固定効果を増強することができる。
【００１６】
２組のバストアップエアクッション２０は、２個のカップ１１の、乳房下縁に対応する挟層１１１内にそれぞれ設置する。各組のバストアップエアクッション２０は、カップ１１外縁に沿って配置する進気管２１を連接する。進気管２１末端には、進気口２２を設置する。
【００１７】
２組の集中エアクッション３０は、２個のカップ１１の、乳房外側に対応する挟層１１１内にそれぞれ設置する。各組の集中エアクッション３０は、カップ１１に対応する位置が、バストアップエアクッション２０とは異なるため、外形がバストアップエアクッション２０とはいくらか異なる。しかし、各組の集中エアクッション３０の基本構造、組成、及び各組のバストアップエアクッション２０は相同である。また、各組の集中エアクッション３０は同様に、カップ１１外縁に沿って配置する進気管３１を連接する。進気管３１末端には、進気口３２を設置する。
【００１８】
本考案セルフコントロール式調整型下着中の各バストアップエアクッション２０、及び各集中エアクッション３０の進気口２２、３２はさらに、漏れ防止キャップ２３、３３を備える。進気口２２、３２、及び漏れ防止キャップ２３、３３を利用し、注入した気体をエアクッション(バストアップエアクッション２０、或いは集中エアクッション３０)内に留め、気体に対する密封効果を達成する。必要時には、外力、或いは外物を利用し、進気口２２、３２を開放し、エアクッション(バストアップエアクッション２０、或いは集中エアクッション３０)の厚みを調整することができ、或いはエアクッション内の気体を完全に排出し、ブラジャーを洗濯機で洗濯する際の便を図ることができる。
【００１９】
漏れ防止キャップ２３、３３以外に、進気管２１、３１内には、逆流防止弁３４を設置することができる(図３中の集中エアクッション３０のみ表示)。逆流防止弁３４は、予定部位に作用する外力、或いは外物作用を受けて開き、これにより使用者が、気体をバストアップエアクッション２０、及び集中エアクッション３０に注入する時、使用者が逆流防止弁３４に力を加え排気させるまで、持続的に膨張させ、気体を留まらせることができる。
【００２０】
原則として、本考案セルフコントロール式調整型下着の使用時には、進気管２１、３１に直接空気を注入する方式を通して、左、右側のカップ１１に属するバストアップエアクッション２０、或いは集中エアクッション３０中に気体を注入する。さらに、進気口２２、３２、及び漏れ防止キャップ２３、３３、或いは逆流防止弁３４を利用し、気体をエアクッション中に留まらせる。これにより、バストアップエアクッション２０、或いは集中エアクッション３０は、調整後の厚みと弧状を常に維持することができ、カップ１１内側の乳房に対して、予期のサポート作用を形成することができる。こうして、装着者は自身の胸の形に応じて、乳房に対するバストアップ、集中の程度について、左、右カップをそれぞれ調整する目的を達成することができる。
【００２１】
上記した各バストアップエアクッション２０、或いは集中エアクッション３０は、各カップ１１の挟層１１１中に固定するため、装着使用時には、位置のずれは発生せず、或いは脱落の恐れも存在しない。こうして、セルフコントロール式調整型下着全体をより安全で信頼できるものとすることができる。特に、各カップ１１の乳房に対するバストアップ、或いは内側へと集中させる程度については、装着者にオールマイティな胸の形の調整機能を提供することができる。しかも、それぞれの装着者が自身の胸の形に応じて、乳房に対するバストアップ、集中の程度について、左、右カップをそれぞれ調整することができるため、選りすぐれた胸の形の表現効果を達成することができる。
【００２２】
さらに、本考案セルフコントロール式調整型下着は、装着する装着者自身の状況に応じて、図４に示すように、エア充填装置４０を通して、左、右側のカップ１１に属するバストアップエアクッション２０(或いは、集中エアクッション３０)中に、気体を充填することができる。これにより、ブラジャーの着脱を繰り返す必要がなく、胸の形の調整動作がより便利で確実となる。図中のエア充填装置４０は、手押し式空気入れである。
【００２３】
図２、３に示す集中エアクッション３０を例とすると、各組の集中エアクッション３０、及びバストアップエアクッション２０は、それが対応するカップ１１内部の表面に、それぞれ通気性の高いフリル構造を形成する。これにより、装着時の蒸れ感を緩和することができる。
【００２４】
図１に示すように、本考案セルフコントロール式調整型下着はさらに、装着本体１０の２個のカップ１１下縁が延伸する両側のエリアに、進気管２１、３１を通して設置する挟間隙１１２を設置する。しかも、進気管２１、３１を直接利用し、カップ１１外形の固定効果を増強することができる。
【００２５】
装着本体１０は、それぞれ２個のカップ１１下縁が延伸する両側エリアに、進気管２１、３１を通して設置する挟間隙１１２を設置する構造形態において、２個のカップ１１の挟間隙１１２中に、スチールワイヤー(図示なし)を通して設置することができる。スチールワイヤーにより、カップ１１外形への固定効果はより強化される。
【００２６】
図５に示すように、本考案第二実施例は、装着本体１０、２組のバストアップエアクッション２０、２組の集中エアクッション３０を備える。装着本体１０には、左、右側にそれぞれ位置する２個のカップ１１を設置する。少なくとも２個のカップ１１の外側は、１組のバックベルト１２に対応して連接する。
【００２７】
２組のバストアップエアクッション２０は、２個のカップ１１の、乳房下縁に対応する挟層１１１内にそれぞれ設置する。各組のバストアップエアクッション２０は、カップ１１外縁に沿って配置する進気管２１を連接する。進気管２１末端には、進気口２２を設置する。
【００２８】
２組の集中エアクッション３０は、２個のカップ１１の、乳房外側に対応するバックベルト１２挟層内にそれぞれ設置する。各組の集中エアクッション３０は、カップ１１に対応する位置が、バストアップエアクッション２０とは異なるため、外形がバストアップエアクッション２０とはいくらか異なる。しかし、各組の集中エアクッション３０の基本構造、組成、及び各組のバストアップエアクッション２０は相同である。また、各組の集中エアクッション３０は同様に、カップ１１外縁に沿って配置する進気管３１を連接する。進気管３１末端には、進気口３２を設置する。
【００２９】
本実施例は、ショルダーストラップ１３、漏れ防止キャップ２３、３３、逆流防止弁３４など上記した第一実施例と相同の細部構造を備える。その詳細な設置位置、使用法はすべて、上記した第一実施例と相同であるため、ここでは再記述しない。
【００３０】
本実施例の集中エアクッション３０は、カップ１１が対応する乳房外側のバックベルト１２挟層内に設置するが、その目的は、膨張時に、使用者腋下の人体組織(副乳)を、胸元へと集中させることである。これにより、集中効果を拡大することができる。実施時には、図示のように、集中エアクッション３０は、外から内へと徐々に大きくなる構造体に設計することができる。これにより、腋下の人体組織(副乳)を、胸元の方向へと、少しずつ集中させることができる。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。  
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
１０  装着本体
１１  カップ
１１１  挟層
１１２  挟間隙
１２  バックベルト
１３  ショルダーストラップ
２０  バストアップエアクッション
２１  進気管
２２  進気口
２３  漏れ防止キャップ
３０  集中エアクッション
３１  進気管
３２  進気口
３３  漏れ防止キャップ
３４  逆流防止弁
４０  エア充填装置
【図１】
0003175855.tif 000003
【図２】
0003175855.tif 000004
【図３】
0003175855.tif 000005
【図４】
0003175855.tif 000006
【図５】
0003175855.tif 000007